(57)【要約】      （修正有）【課題】建築室内に蓄熱機能を付与し、安定的な室内環境を創り、透過日射熱を有効利用して、暖冷房消費エネルギーを削減する内装材及び暖冷房装置を提供する。【解決手段】潜熱型蓄熱材（ＰＣＭ）を軽量セメント、石こうプラスター、漆喰、貝灰、珪藻土、粘土などに混ぜ込んだＰＣＭ内装材を室内に施工し、室内に蓄熱性能を付与する。暖冷房装置は、熱源装置を放熱装置からなる。放熱装置は、放熱マットと内装材とが一体化されることで、吸放熱を行う。【選択図】図２
0003166125.tif 000002
【実用新案登録請求の範囲】
【請求項１】
潜熱型蓄熱材（ＰＣＭ）を軽量セメント、石こうプラスター、漆喰、貝灰、珪藻土、粘土などの建築内装材の原料（母材）に混ぜ込んだＰＣＭ内装材（母材とＰＣＭを一定割合で混和させたもの）に水を混和してペース状にし、室内表面に左官工法を用いて塗布施工するかボード状に成形して貼付け、室内に蓄熱性能を付与することを特徴とした蓄熱型内装仕上げ材料。
【請求項２】
前記実用新案登録請求の範囲第１項記載のＰＣＭ内装材に円筒状の毛細管放熱マット（ＣＴＭ）を組み合わせて施工し、ＣＴＭに熱源装置から冷温水を供給して表面より吸放熱を行なう、蓄熱機能を特徴とした暖冷房装置。
【請求項３】
前記実用新案登録請求の範囲第２項記載のＣＴＭに換えて、シート状の電気式薄型吸放熱体を組み合わせて施工し表面より吸放熱を行なう、蓄熱機能を特徴とした暖冷房装置。
【請求項４】
前記実用新案登録請求の範囲第２項記載のＣＴＭに換えて、シート状の炭素繊維発熱体を組み合わせて施工し表面より吸放熱を行なう、蓄熱機能を特徴とした暖冷房装置。
【請求項５】
前記実用新案登録請求の範囲第２項記載の暖冷房装置に冷温水を供給しＰＣＭ内装材に吸収させるため、太陽光温水装置を使用した、蓄熱機能を特徴とした暖冷房装置。
【請求項６】
前記実用新案登録請求の範囲第２項記載の暖冷房装置に冷温水を供給しＰＣＭ内装材に吸収させるため、ヒートポンプ使用した、蓄熱機能を特徴とした暖冷房装置。
【請求項７】
前記実用新案登録請求の範囲第２項記載の暖冷房装置に冷温水を供給しＰＣＭ内装材に吸収させるため、ヒートポンプと電気式ヒートポンプエアコン使用した、蓄熱機能を特徴とした暖冷房装置。
【請求項８】
前記実用新案登録請求の範囲第２項記載の暖冷房装置に冷温水を供給しＰＣＭ内装材に吸収させるため、電気ボイラー使用した、蓄熱機能を特徴とした暖冷房装置。
【請求項９】
前記実用新案登録請求の範囲第２項記載の暖冷房装置に冷温水を供給しＰＣＭ内装材に吸収させるため、電気ボイラーと電気式ヒートポンプエアコン使用した、蓄熱機能を特徴とした暖冷房装置。
【請求項１０】
前記実用新案登録請求の範囲第２項記載の暖冷房装置に冷温水を供給しＰＣＭ内装材に吸収させるため、灯油ボイラー使用した、蓄熱機能を特徴とした暖冷房装置。
【請求項１１】
前記実用新案登録請求の範囲第２項記載の暖冷房装置に冷温水を供給しＰＣＭ内装材に吸収させるため、灯油ボイラーと電気式ヒートポンプエアコン使用した、蓄熱機能を特徴とした暖冷房装置。
【請求項１２】
前記実用新案登録請求の範囲第２項記載の暖冷房装置に冷温水を供給しＰＣＭ内装材に吸収させるため、ガスボイラー使用した、蓄熱機能を特徴とした暖冷房装置。
【請求項１３】
前記実用新案登録請求の範囲第２項記載の暖冷房装置に冷温水を供給しＰＣＭ内装材に吸収させるため、ガスボイラーと電気式ヒートポンプエアコン使用した、蓄熱機能を特徴とした暖冷房装置。
【請求項１４】
前記実用新案登録請求の範囲第２項記載の暖冷房装置に冷温水を供給しＰＣＭ内装材に吸収させるため、地下に埋設した配管と接続して使用した、蓄熱機能を特徴とした暖冷房装置。
【請求項１５】
前記実用新案登録請求の範囲第２項記載の暖冷房装置に冷温水を供給しＰＣＭ内装材に吸収させるため、太陽光温水装置を使用した、蓄熱機能を特徴とした暖冷房装置。前記実用新案登録請求の範囲第１４項記載の地中埋設管を併用する。
【請求項１６】
前記実用新案登録請求の範囲第２項記載の暖冷房装置に冷温水を供給しＰＣＭ内装材に吸収させるため、ヒートポンプを使用した、蓄熱機能を特徴とした暖冷房装置。前記実用新案登録請求の範囲第１４項記載の地中埋設管を併用する。
【請求項１７】
前記実用新案登録請求の範囲第２項記載の暖冷房装置に冷温水を供給しＰＣＭ内装材に吸収させるため、ヒートポンプと電気式ヒートポンプエアコンを使用した、蓄熱機能を特徴とした暖冷房装置。前記実用新案登録請求の範囲第１４項記載の地中埋設管を併用する。
【請求項１８】
前記実用新案登録請求の範囲第２項記載の暖冷房装置に冷温水を供給しＰＣＭ内装材に吸収させるため、電気ボイラー使用した、蓄熱機能を特徴とした暖冷房装置。前記実用新案登録請求の範囲第１４項記載の地中埋設管を併用する。
【請求項１９】
前記実用新案登録請求の範囲第２項記載の暖冷房装置に冷温水を供給しＰＣＭ内装材に吸収させるため、電気ボイラーと電気式ヒートポンプエアコン使用した、蓄熱機能を特徴とした暖冷房装置。前記実用新案登録請求の範囲第１４項記載の地中埋設管を併用する。
【請求項２０】
前記実用新案登録請求の範囲第２項記載の暖冷房装置に冷温水を供給しＰＣＭ内装材に吸収させるため、灯油ボイラー使用した、蓄熱機能を特徴とした暖冷房装置。前記実用新案登録請求の範囲第１４項記載の地中埋設管を併用する。
【請求項２１】
前記実用新案登録請求の範囲第２項記載の暖冷房装置に冷温水を供給しＰＣＭ内装材に吸収させるため、灯油ボイラーと電気式ヒートポンプエアコン使用した、蓄熱機能を特徴とした暖冷房装置。前記実用新案登録請求の範囲第１４項記載の地中埋設管を併用する。
【請求項２２】
前記実用新案登録請求の範囲第２項記載の暖冷房装置に冷温水を供給しＰＣＭ内装材に吸収させるため、ガスボイラー使用した、蓄熱機能を特徴とした暖冷房装置。前記実用新案登録請求の範囲第１４項記載の地中埋設管を併用する。
【請求項２３】
前記実用新案登録請求の範囲第２項記載の暖冷房装置に冷温水を供給しＰＣＭ内装材に吸収させるため、ガスボイラーと電気式ヒートポンプエアコン使用した、蓄熱機能を特徴とした暖冷房装置。前記実用新案登録請求の範囲第１４項記載の地中埋設管を併用する。
【考案の詳細な説明】
【技術分野】
【０００１】  この考案は、潜熱蓄熱を利用した暖冷房システムに関するものである。
【背景技術】
【０００２】近年、積雪寒冷地の住宅は高断熱・高気密化が進み、セントラル・ヒーテイングが普及して、熱源は集中、放熱は適量、適所に分散配置されるようになった。しかし、室内の熱容量（蓄熱性能）が不足しているため、日射などの取得熱が有効に利用できず、室温が過度に上昇する現象も見られるようになってきた。
【先行技術文献】
【特許文献】
【０００３】
【特許文献１】特開２００９−１２０７３４公報
【特許文献２】特開２００９−１７３８３４公報
【特許文献３】特開２００２−１６８５３１公報
【特許文献４】特開平１１−１５９９７６公報
【考案の概要】
【考案が解決しようとする課題】
【０００４】建築室内に蓄熱機能を付与することで、安定的な室内環境を創るとともに再生可能エネルギーである透過日射熱を有効に利用して暖冷房消費エネルギー削減し、前述の課題を解決しようとするものである。
【課題を解決するための手段】
【０００５】本考案は、潜熱型蓄熱材（ＰＣＭ）を軽量セメント、石こうプラスター、漆喰、貝灰、珪藻土、粘土などの建築内装材の原料（母材）に混ぜ込んだＰＣＭ内装材（母材とＰＣＭを一定割合で混和させたもの）に水を混和してペースト状にした後、左官工により室内側に施工するか、ボード状に施工して貼付ける。また、液体を熱媒とした毛細管マットを組み合わせて室内表面に施工して、装置の保有する蓄熱性能により、前述の問題点を解決している。
【考案の効果】
【０００６】上述のように、本考案のパッシブ蓄熱効果により、冬季の昼は日射熱をシステム内に蓄熱して室内の室温上昇を抑制し、夜は蓄熱分を放熱することで暖房エネルギーの削減ができる。また、夏季には夜の冷涼な外気を利用して本システムを冷却し、昼間に採涼効果が得られるため、年間を通して大幅な省エネルギーが可能となる。また、蓄熱部と放熱部が一体となるため、蓄熱装置を別途に設ける必要がない。さらに、毛細管放熱マット（ＣＴＭ）と組み合わせることで、熱負荷のピークカット、ピークシフトが可能になる。
【図面の簡単な説明】
【０００７】
【図１】ＰＣＭ内装材を室内壁に施工した場合の外観を示す図である。
【図２】ＰＣＭ内装材と毛細管放熱マット（ＣＴＭ）を組み合わせて室内壁に施工した場合の外観を示す図である。
【考案を実施するための形態】
【０００８】潜熱型蓄熱材（ＰＣＭ）を軽量セメント、石こうプラスター、漆喰、貝灰、珪藻土、粘土などの内装材の原料（母材）に混ぜ込んだＰＣＭ内装材（母材とＰＣＭを一定割合で混和させたもの）に水を混和してペース状にし、室内表面に左官工法を用いて塗布施工するかボード状に成形して貼付ける。また、毛細管放熱マット（ＣＴＭ）あらかじめ内装下地に取り付け表面側からＰＣＭ内装材を施工する。ＰＣＭ内装材は、日中の透過太陽光で内包する潜熱蓄熱材が融解して熱を吸収して室温を下げ、夜間は潜熱を室内に放出して室温を上げる仕組みである。また、透過太陽熱の熱エネルギーや外気で室温が十分に維持できない時にはＣＴＭに熱源装置から冷温水を供給して内装表面より吸放熱を行なう。この時本空調システム内には熱エネルギーが蓄積されるため熱供給が断続的に行なわれても、室温は安定した状態に保たれる。また、ＣＴＭに換えて電気式薄型吸放熱体、炭素繊維発熱体などの吸放熱装置とＰＣＭ内装材を組み合わせて利用することができる。
【実施例】
【０００９】約３０坪の木造建築物に本考案を施工したところ、冬期の室内温度は２２から２５℃の範囲で安定的に変動を繰り返し、快適な環境を創りだした。また、最大暖房負荷の４０％の熱源で室温を設定値以上に維持することができ、設備容量の削減に寄与できた。さらに、冬期間の積算エネルギー消費量は、建物熱損失量の４０％程度であり、太陽熱、内部取得熱によって６０％の省エネルギーが達成できた。言い換えると、本考案の採用で熱損失係数が２分の１以下の建築と同等の熱消費量で暖房が実施できたことになる。
【符号の説明】
【００１０】１  ＰＣＭ内装材
２  毛細管放熱マット（ＣＴＭ）
【図１】
0003166125.tif 000003
【図２】
0003166125.tif 000004
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
潜熱蓄熱材（ＰＣＭ）と軽量セメント、石こうプラスター、漆喰、貝灰、珪藻土、粘土などの建築内装材を一定割合で混和して均質となるよう撹拌したＰＣＭ内装材を、室内表面に左官工法を用いて塗布して固化させるかボード状に成形して貼付け、室内に蓄熱性能を付与することを特徴とした潜熱蓄熱型内装仕上げで薄板状の形状をとる。
【請求項２】
請求項１に記載の薄板状ＰＣＭ内装材の内部に、円筒状の毛細管放熱マット（ＣＴＭ）をその表面が内装材に密着するよう施工し、熱源装置からＣＴＭに冷温水を供給してＰＣＭ内装材の表面より吸放熱を行なう、蓄熱機能を特徴とした暖冷房装置。
【請求項３】
請求項１に記載の薄板状ＰＣＭ内装材の内部に、シート状の電気式薄型吸放熱体をその表面が内装材に密着するよう施工しＰＣＭ内装材の表面より吸放熱を行なう、蓄熱機能を特徴とした暖冷房装置。
【請求項４】
請求項１に記載の薄板状ＰＣＭ内装材の内部に、シート状の炭素繊維発熱体をその表面が内装材に密着するよう施工しＰＣＭ内装材の表面より吸放熱を行なう、蓄熱機能を特徴とした暖冷房装置。
【請求項５】
請求項２に記載の暖冷房装置に冷温水を供給しＰＣＭ内装材に熱を吸収させるための太陽熱温水装置を有する、蓄熱機能を特徴とした暖冷房装置。
【請求項６】
請求項２に記載の暖冷房装置に冷温水を供給しＰＣＭ内装材に熱を吸収させるためのヒートポンプを有する、蓄熱機能を特徴とした暖冷房装置。
【請求項７】
請求項２に記載の暖冷房装置に冷温水を供給しＰＣＭ内装材に熱を吸収させるためのヒートポンプと電気式ヒートポンプエアコンを有する、蓄熱機能を特徴とした暖冷房装置。
【請求項８】
請求項２に記載の暖冷房装置に冷温水を供給しＰＣＭ内装材に熱を吸収させるための電気ボイラーを有する、蓄熱機能を特徴とした暖冷房装置。
【請求項９】
請求項２に記載の暖冷房装置に冷温水を供給しＰＣＭ内装材に熱を吸収させるための電気ボイラーと電気式ヒートポンプエアコンを有する、蓄熱機能を特徴とした暖冷房装置。
【請求項１０】
請求項２に記載の暖冷房装置に冷温水を供給しＰＣＭ内装材に熱を吸収させるための灯油ボイラーを有する、蓄熱機能を特徴とした暖冷房装置。
【請求項１１】
請求項２に記載の暖冷房装置に冷温水を供給しＰＣＭ内装材に熱を吸収させるための灯油ボイラーと電気式ヒートポンプエアコンを有する、蓄熱機能を特徴とした暖冷房装置。
【請求項１２】
請求項２に記載の暖冷房装置に冷温水を供給しＰＣＭ内装材に熱を吸収させるためのガスボイラーを有する、蓄熱機能を特徴とした暖冷房装置。
【請求項１３】
請求項２に記載の暖冷房装置に冷温水を供給しＰＣＭ内装材に熱を吸収させるためのガスボイラーと電気式ヒートポンプエアコンを有する、蓄熱機能を特徴とした暖冷房装置。
【請求項１４】
請求項２に記載の暖冷房装置に冷温水を供給しＰＣＭ内装材に熱を吸収させるための地中に埋設した配管を有する、蓄熱機能を特徴とした暖冷房装置。
【請求項１５】
請求項２に記載の暖冷房装置に冷温水を供給しＰＣＭ内装材に熱を吸収させるための太陽熱温水装置と請求項１４に記載の地中埋設管を有する、蓄熱機能を特徴とした暖冷房装置。
【請求項１６】
請求項２に記載の暖冷房装置に冷温水を供給しＰＣＭ内装材に熱を吸収させるためのヒートポンプと請求項１４に記載の地中埋設管を有する、蓄熱機能を特徴とした暖冷房装置。
【請求項１７】
請求項２に記載の暖冷房装置に冷温水を供給しＰＣＭ内装材に熱を吸収させるためのヒートポンプおよび電気式ヒートポンプエアコンと請求項１４に記載の地中埋設管を有する、蓄熱機能を特徴とした暖冷房装置。
【請求項１８】
請求項２に記載の暖冷房装置に冷温水を供給しＰＣＭ内装材に熱を吸収させるための電気ボイラーと請求項１４に記載の地中埋設管を有する、蓄熱機能を特徴とした暖冷房装置。
【請求項１９】
請求項２に記載の暖冷房装置に冷温水を供給しＰＣＭ内装材に熱を吸収させるための電気ボイラーおよび電気式ヒートポンプエアコンと請求項１４に記載の地中埋設管を有する、蓄熱機能を特徴とした暖冷房装置。
【請求項２０】
請求項２に記載の暖冷房装置に冷温水を供給しＰＣＭ内装材に熱を吸収させるための灯油ボイラーと請求項１４に記載の地中埋設管を有する、蓄熱機能を特徴とした暖冷房装置。
【請求項２１】
請求項２に記載の暖冷房装置に冷温水を供給しＰＣＭ内装材に熱を吸収させるための灯油ボイラーおよび電気式ヒートポンプエアコンと請求項１４に記載の地中埋設管を有する、蓄熱機能を特徴とした暖冷房装置。
【請求項２２】
請求項２に記載の暖冷房装置に冷温水を供給しＰＣＭ内装材に熱を吸収させるためのガスボイラーと請求項１４に記載の地中埋設管を有する、蓄熱機能を特徴とした暖冷房装置。
【請求項２３】
請求項２に記載の暖冷房装置に冷温水を供給しＰＣＭ内装材に熱を吸収させるためのガスボイラーおよび電気式ヒートポンプエアコンと請求項１４に記載の地中埋設管を有する、蓄熱機能を特徴とした暖冷房装置。
【手続補正書】
【提出日】平成22年9月27日(2010.9.27)
【手続補正１】
【補正対象書類名】実用新案登録請求の範囲
【補正対象項目名】全文
【補正方法】変更
【補正の内容】
【実用新案登録請求の範囲】
【請求項１】
潜熱蓄熱材（ＰＣＭ）と軽量セメント、石こうプラスター、漆喰、貝灰、珪藻土、粘土などの建築内装材を一定割合で混和して均質となるよう撹拌したＰＣＭ内装材を、室内表面に左官工法を用いて塗布して固化させるかボード状に成形して貼付け、室内に蓄熱性能を付与することを特徴とした潜熱蓄熱型内装仕上げで薄板状ＰＣＭ内装材。
【請求項２】
本請求項の暖冷房装置は冷温水を発生させる熱源装置と、室内に熱を供給して暖冷房を行なう放熱装置により構成される。また、熱源装置と放熱装置は各々配管で接続され、熱媒は両装置の内部を循環する。放熱装置は熱媒を循環できる円筒状の細管をすだれ状に組み合わせた放熱マット（ＣＴＭ）と、請求項１に記載の薄板状ＰＣＭ内装材により構成される。ＣＴＭは内装下地の表面に金具で固定され、ＣＴＭの表面がＰＣＭ内装材に密着するようＣＴＭの上部にＰＣＭ内装材を左官工法で施工することで両者は一体化される。本装置は、熱源装置から配管を経由してＣＴＭに冷温水を供給することで熱がＣＴＭからＰＣＭ内装材に伝えられ、さらにＰＣＭ内装材の室内側の表面より吸放熱を行なう、蓄熱機能を特徴とした薄板状放熱装置を有する暖冷房装置である。
【手続補正書】
【提出日】平成22年11月22日(2010.11.22)
【手続補正１】
【補正対象書類名】実用新案登録請求の範囲
【補正対象項目名】全文
【補正方法】変更
【補正の内容】
【実用新案登録請求の範囲】
【請求項１】
潜熱蓄熱材（ＰＣＭ）と軽量セメント、石こうプラスター、漆喰、貝灰、珪藻土、粘土などの建築内装材を一定割合で混和して均質となるよう撹拌したＰＣＭ内装材を、室内表面に左官工法を用いて塗布して固化させるかボード状に成形して貼付け、室内に蓄熱性能を付与することを特徴とした潜熱蓄熱型内装仕上げで薄板状ＰＣＭ内装材。
【請求項２】
冷温水を発生させる熱源装置と、室内に熱を供給して暖冷房を行なう放熱装置により構成される暖冷房装置であって、熱源装置と放熱装置は各々配管で接続されることで熱媒は両装置の内部を循環するが、放熱装置は熱媒を循環できる円筒状の細管をすだれ状に組み合わせた放熱マット（ＣＴＭ）と、請求項１に記載の薄板状ＰＣＭ内装材により構成するためにＣＴＭは内装下地の表面に金具で固定され、ＣＴＭの表面がＰＣＭ内装材に密着するようＣＴＭの上部にＰＣＭ内装材を左官工法あるいは接着工法で施工することで両者は一体化され、熱源装置から配管を経由してＣＴＭに冷温水を供給することで熱がＣＴＭからＰＣＭ内装材に伝えられることにより、ＰＣＭ内装材の室内側の表面より吸放熱を行なう、蓄熱機能を特徴とした薄板状放熱装置を有する暖冷房装置。